(57)【要約】【課題】  低品位のＭＦＰのＨＤＤ等に保存されている画像を、ネットワーク接続される高品位のＭＦＰへプリントする場合を想定。プリント前にプレビュー表示しようとすると、画像の品位によってはカラーマッチング処理の演算に時間がかかる為、プレビュー表示が待たされる。【解決手段】  当初は特定の画素間隔おきにカラーマッチング処理を行ったプレビュー画像を生成するので、より短い時間内でプレビュー画像を表示できる為、ユーザはプレビュー画像の確認を迅速に判断することが可能となる。  又、プレビュー表示完了までの進捗具合を同時に表示する為、より詳細に確認したいユーザにとっては、プレビュー画像生成の完了を把握することが可能となる。【選択図】  図１
2010114749.tif 000002
【特許請求の範囲】
【請求項１】
画像情報などの印刷データを格納する手段（３０９）と、
出力先画像形成装置に対してカラープロファイル情報の送信を要求する手段（３０５）と、
カラープロファイル情報を受信する手段（３０２）と、
カラープロファイル情報を元にプレビュー画像を生成する手段（３０５）と、
最初はプレビュー画像を特定の画素間隔毎に生成し、徐々に間の画素に対するデータ生成を行い、最終的に全ての画素に対するプレビュー画像を生成する手段（３０５）を有し、
ユーザが画像データをプレビュー表示する際に、プレビュー画像の生成について、最初は粗い画素単位でカラーマッチング処理を行い、序々に未処理画素の演算を進め、最終的には全画素に対するプレビュー画像生成することを特徴とする画像形成装置（２０２）。
【請求項２】
請求項１に記載の画像形成装置において、
前記プレビュー画像生成手段によって生成が完了した画素の全画素に対する割合を進捗率として計算する手段（３０５）と、
前記進捗率をプレビュー画像と同時に表示する手段（３０４）を有し、
プレビュー画像と同時に生成中のプレビュー画像の進捗具合を同時に確認できることを特徴とする画像形成装置（２０２）。
【発明の詳細な説明】
【技術分野】
【０００１】
本発明は、マルチファンクションプリンタ（以下ＭＦＰ）内に保存される印刷データをネットワーク上に接続されている他のＭＦＰを介してネットワークプリントする際の、プレビュー機能に関するものである。
【背景技術】
【０００２】
ＭＦＰには従来コピー機能以外に、ネットワークで接続されるＰＣよりドキュメントを印刷したり、スキャナで読み取った原稿画像をＨＤＤへ格納したりといった機能（ＢＯＸ機能）を有している。
【０００３】
ＨＤＤへ格納されている原稿画像データは、ＵＩより呼び出してプリントすることができる。
【０００４】
これらＭＦＰは、ネットワーク接続されているＭＦＰと連携して、自分のＭＦＰに格納されている原稿画像を、他のＭＦＰを通してプリントすることが可能である。
【０００５】
これは例えば、プリントしたいカラー印刷データが白黒ＭＦＰの中に存在し、ネットワークを通して接続されるカラーＭＦＰでプリント出力する、という要求に応えるものである。
【０００６】
（以下、異機種間プリント）
この異機種間プリントにおいて、実際にプリントを実行する以前に、出力結果のイメージを使用者が確認するために、プレビュー画像をモニタ表示させることが望ましい。
【０００７】
プレビュー表示させる為には、出力先のＭＦＰで使用するディスティネーションプロファイル情報を取得して、プレビューモニタのモニタプロファイル情報を元にカラーマッチング処理を行い、プレビュー画像を生成する。
【０００８】
例えば、プレビュー画像生成時における通常のカラープロファイルでの流れを図１を使って説明する。図１においてＣＭＹＫ値の入力データ１０１がディスティネーションカラープロファイル１０２によりＬａｂ色空間の色空間データ１０３に変換される。このＬａｂ色空間は、入力データに対するデバイス非依存の色空間である。そして、モニタカラープロファイル１０４により色空間データ１０３がＲＧＢ値の出力データ１０５に変換される。
【０００９】
ネットワークシステム上でのカラーマッチング処理を実現する特許が提案されている。
【００１０】
特許文献１は、複数のデバイスプロファイルとカラーマネージメントモジュールを格納するネットワークサーバを有し、出力するＭＦＰのデバイスプロファイルをネットワークサーバよりダウンロードして、入力画像データに対してカラーマッチング処理を行う。
【特許文献１】特開平１０−２７６２９５号公報
【発明の開示】
【発明が解決しようとする課題】
【００１１】
しかしながら、本発明が解決しようとする課題は、従来技術の場合、カラープロファイルを使用したカラーマッチング処理はソフトウェアにより画素毎に計算する為、高品位な画像を複数候補プレビュー表示させる場合には、非常に時間がかかることが予想される。
【００１２】
しかし、ＨＤＤ等の記憶手段に格納されている画像のプレビュー画像を表示する場合には、多くのユーザにとっては、おおよその色感が解れば良いことが殆どである。
【００１３】
ＨＤＤ等の記憶手段に格納されている複数のプリント候補の中から、所望の画像を検索していく場合には、プレビュー画像に高解像度や正確なカラーマッチングは必要とされない場合が想定される。
【課題を解決するための手段】
【００１４】
上述した課題を解決するために、第一の本発明は、
画像情報などの印刷データを格納する手段と、
出力先画像形成装置に対してカラープロファイル情報の送信を要求する手段と、
カラープロファイル情報を受信する手段と、
カラープロファイル情報を元にプレビュー画像を生成する手段と、
最初はプレビュー画像を特定の画素間隔毎に生成し、徐々に間の画素に対するデータ生成を行い、最終的に全ての画素に対するプレビュー画像を生成する手段と、
前記プレビュー画像生成手段によって生成が完了した画素の全画素に対する割合を進捗率として計算する手段と、
前記進捗率をプレビュー画像と同時に表示する手段により構成される画像形成装置において、
ユーザが画像データをプレビュー表示する際に、プレビュー画像の生成を最初が粗い画素単位で行い、序々に先鋭化して、最終的には全画素に対するプレビュー画像生成を行い、その進捗具合を同時に確認できることを特徴とする。
【発明の効果】
【００１５】
本発明によって、画像形成装置が、当初は粗い画素単位でカラーマッチング処理を行ったプレビュー画像を生成するので、より短い時間内でプレビュー画像を表示できる為、ユーザはプレビュー画像の確認を迅速に判断することができる。
【００１６】
又、プレビュー表示完了までの進捗具合を同時に表示する為、より詳細に確認したいユーザにとっては、プレビュー画像生成の完了を把握することができる。
【発明を実施するための最良の形態】
【００１７】
次に、本発明の詳細を実施例の記述に従って説明する。
【実施例１】
【００１８】
［ＭＦＰの周辺構成］
始めに、図２を用いて本発明の実施形態におけるネットワークシステムの構成について説明する。
【００１９】
図２に示すように本ネットワークシステムは、ネットワーク２０１、ＭＦＰ２０２、ＭＦＰ２０３、及びネットワークサーバ２０４により構成される。
【００２０】
ＭＦＰ２０２、ＭＦＰ２０３にはコピーやプリントといった印刷複合機としての機能の他に、モニタ表示や画像処理に必要なＣＰＵ・メモリ及びネットワーク上の通信に必要な通信機能を備えている。
【００２１】
ネットワークサーバ２０４は、画像処理や印刷処理に必要なＣＰＵ・メモリ及びネットワーク上の通信に必要な通信機能を備え、各カラーマネージメントモジュール（以下ＣＭＭ）とデバイスプロファイルを格納している。格納されているＣＭＭはそれぞれ識別のための登録情報を有している。
【００２２】
ＭＦＰ２０２、ＭＦＰ２０３はネットワーク２０１を介して、相手側とのカラーマッチング処理を行う際には、必要なＣＭＭとデバイスプロファイルをネットワークサーバ２０４よりダウンロードする。
【００２３】
次に、図３を用いてＭＦＰ（Ｍｕｌｔｉ  Ｆｕｎｃｔｉｏｎ  Ｐｅｒｉｐｈｅｒａｌ：マルチファンクション周辺機器）の構成について説明する。
【００２４】
ＭＦＰは、スキャナから出力されたジョブデータに対しメモリを介してプリントするコピー機能や、コンピュータ等の外部装置から出力されたジョブデータに対し該メモリを介してプリントするプリント機能等の複数の機能を具備した画像形成装置である。
【００２５】
ＭＦＰには、フルカラー機器とモノクロ機器があり、色処理や内部データなどを除いて、基本的な部分において、フルカラー機器がモノクロ機器の構成を包含することが多い。ここではフルカラー機器に絞って説明し、必要に応じて随時モノクロ機器の説明を加えることとする。
【００２６】
又、本システムの構成に関し、プリント機能のみを具備した単一機能型の画像形成装置等のＳＦＰ（Ｓｉｎｇｌｅ  Ｆｕｎｃｔｉｏｎ  Ｐｅｒｉｐｈｅｒａｌ：単一機能周辺機器）を具備する構成でも良い。さらにＭＦＰとＳＦＰいずれか一方のタイプの画像形成装置のみを具備する構成でも良い。又、何れのタイプの画像形成装置であっても、複数台具備する構成でも良い。いずれにしても、本形態の制御が実現可能な構成であればよい。
【００２７】
図３に示すように、紙原稿などの画像を読み取り、画像処理するスキャナ部３０１と、ファクシミリ、ネットワーク接続機器、外部専用装置と画像データなどを送受する外部Ｉ／Ｆ３０２、画像処理後に用紙上に画像形成し出力するプリンタ部３０３を備えている。
【００２８】
操作部３０４は、本画像形成装置の様々なフローや機能を選択したり操作指示したりするためのものであるが、操作部の表示装置の高解像度化に伴い、文書管理部にある画像データをプレビューし、出力先でのプリント出力イメージを確認する為に使用する。
【００２９】
ＣＰＵ３０５は、ＲＯＭ３０７から読込んだプログラムに基いて動作する。また、外部Ｉ／Ｆ３０２、ホストコンピュータから受信したＰＤＬ（ページ記述言語）コードデータを解釈し、ラスターイメージデータに展開する動作も、このプログラムに記述されており、ソフトウェアによって処理される。
【００３０】
更に、各種画像データのカラープロファイルを通したカラーマッチング処理も、ソフトウェアによって処理される。
【００３１】
メモリコントローラ部３０６は、接続される記憶装置であるＲＯＭ３０７、ＲＡＭ３０８、及びＨＤＤ３０９へのアクセスを制御する。接続されている各マスタデバイスからのメモリアクセスが競合した場合には、優先順位によって順番に選択したスレーブメモリへアクセスするよう調停動作を行う。
【００３２】
ＲＯＭ３０７は読み出し専用のメモリで、ブートシーケンスやフォント情報等の各種プログラムが予め記憶されている。
【００３３】
ＲＡＭ３０８は読み出し及び書き込み可能なメモリで、スキャナ部３０１や外部Ｉ／Ｆ３０２よりメモリコントローラ３０６を介して送られてきた画像データや、各種プログラムや設定情報を記憶する。
【００３４】
ＨＤＤ３０９は、圧縮伸張部３１０によって圧縮された画像データを記憶する大容量の記憶装置である。
【００３５】
圧縮伸張部３１０は、ＪＢＩＧやＪＰＥＧ等といった各種圧縮方式によってＲＡＭ３０８、ＨＤＤ３０９に記憶されている画像データ等を圧縮・伸張動作を行う。
【００３６】
［操作部の構成］
図４と図５を用いて操作部について説明する。
【００３７】
まず、図４は、定常的な操作設定を行うことができるキー入力部分である。
【００３８】
操作部電源スイッチ４０１は、スタンバイモード（通常動作状態）とスリープモード（メインコントローラは、ネットワークプリントやファクシミリなどに備えて割り込み待ち状態でプログラムを停止して、消費電力を抑えている状態）を切り替えるものである。システム全体の電源供給を行う主電源スイッチがＯＮ状態で制御することができる。
【００３９】
スタートキー４０３は、コピーや送信などの開始を指示するキーであり、ストップキー４０２は、それを中断するキーである。
【００４０】
テンキー４０６は、各種設定の置数を行うためのキーであり、クリアキー４０７は、その置数を解除するためのキーである。
【００４１】
リセットキー４０４は、各種設定を無効にし、デフォルト状態に戻すためのキーである。ユーザモードキー４０５は、ユーザごとのシステム設定画面に移行するためのキーである。
【００４２】
次に、図５は、ＬＣＤ（液晶表示部）とその上に貼られた透明電極からなるタッチパネルディスプレイを表した模式図である。ＬＣＤに表示されるキー相当の部分の透明電極を指で触れると、それを検知して別の操作画面を表示するなど予めプログラムされている。図５は、スタンバイモード時の初期画面であり、設定操作に応じて様々な操作画面を表示することができる。
【００４３】
コピータブ５０１は、コピー動作の操作画面に遷移するためのタブキーである。送信タブ５０２は、ファックスやＥ−ｍａｉｌ送信など送信（Ｓｅｎｄ）動作を指示する操作画面に遷移するためのタブキーである。ボックスタブ５０３は、ボックス（ユーザごとにジョブを格納する記憶手段）にジョブを入出力操作するための画面に遷移するためのタブキーである。オプションタブ５０４は、スキャナ設定など拡張機能を設定するためのタブキーである。システムモニタキー５１７は、ＭＦＰの状態や状況を表示するためのキーであり、各タブを選択することで、それぞれの操作モードに遷移することができる。
【００４４】
色選択設定キー５０５は、カラーコピー、白黒コピー、あるいは自動選択かを予め選択するためのキーである。倍率設定キー５０８は、等倍、拡大、縮小などの倍率設定を行う画面に遷移するキーである。後処理設定キー５０９はステイプルやパンチなどの有無、個数、位置などを設定する画面に遷移するキーである。両面設定キー５１４は、片面印刷か両面印刷かを選択する画面に遷移するキーである。紙サイズ設定キー５１５は、給紙段や紙サイズ、メディアタイプを選択する画面に遷移するキーである。画像モード設定キー５１２は、文字モードや写真モードなど原稿画像に適した画像モードを選択するためのキー、濃度設定キー５１１は、出力画像を濃くしたり薄くしたり調整するためのキーである。
【００４５】
次に、ステータス表示部５０６は、スタンバイ状態、ウォームアップ中、ジャム、エラー等の簡易的な状態表示を行う表示部である。倍率表示部５０７は、倍率設定キー５０８で設定された倍率を表示し、紙サイズ表示部５１６は、紙サイズ設定キー５１５で設定された紙サイズやモードを表示する。枚数表示部５１０は、テンキー４０６で指定された枚数を表示したり、動作中に何枚目を印刷中かを表示したりする。
【００４６】
更に、割り込みキー５１３は、コピー動作中に別のジョブを割り込ませる場合に利用し、応用モードキー５１８は、ページ連写、表紙・合紙設定、縮小レイアウト、画像移動など様々な画像処理やレイアウトなどの設定を行う画面に遷移するためのキーである。
【００４７】
［ＭＦＰの構成］
本発明における、ＭＦＰ（マルチファンクショナルプリンタ）の構成について、図６を用いて説明する。本実施例においては１ＤカラーＭＦＰの構成について説明するが、その他４ＤカラーＭＦＰ、白黒ＭＦＰについても本発明のＭＦＰ構成としては考えられるが、ここでは説明を割愛する。
【００４８】
自動原稿搬送装置（ＡＤＦ）６０１は、原稿トレイの積載面にセットされた原稿束を順番に分離して、スキャナ６０２によって原稿走査するために原稿台ガラス上へ搬送する装置である。
【００４９】
スキャナ６０２は、原稿台ガラス上に搬送された原稿の画像を読み取り、ＣＣＤによって画像データに変換する。回転多面鏡（ポリゴンミラー等）６０３は、前記画像データに応じて変調された、例えばレーザー光などの光線を入射させ、反射ミラーを介して反射走査光として感光ドラム６０４に照射する。
【００５０】
感光ドラム６０４上に前記レーザー光によって形成された潜像はトナーによって現像され、転写ドラム６０５上に貼り付けられたシート材に対してトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム６０５上のシート材は、分離爪６０６によって分離され、定着前搬送６０７によって定着器６０８へ搬送される。
【００５１】
定着器６０８は、ローラやベルトの組み合わせによって構成され、ハロゲンヒータなどの熱源を内蔵し、トナー像が転写されたシート材上のトナーを、熱と圧力によって溶解、定着させる。
【００５２】
排紙フラッパ６０９は、揺動軸を中心に揺動可能に構成され、シートの搬送方向を規定する。排紙フラッパ６０９が図中時計回りの方向に揺動しているときには、シートは真直ぐに搬送され、排紙ローラ６１０によって機外へ排出される。一方、シートの両面に画像を形成する際には、排紙フラッパ６０９が図中反時計回りの方向に揺動し、シートは下方向に進路を変更され両面搬送部へと送り込まれる。
【００５３】
両面搬送部は、反転フラッパ６１１、反転ローラ６１２、反転ガイ６１３ドおよび両面トレイ６１４より構成される。反転フラッパ６１１は、揺動軸を中心に揺動可能に構成され、シートの搬送方向を規定する。まず、反転フラッパ６１１が図中反時計回りの方向に揺動し、シートは反転ローラ６１２によって反転ガイド６１３へと送り込まれる。シート後端が反転ローラ６１２に狭持された状態で反転ローラ６１２は一旦停止し、引き続き反転フラッパ６１１が図中時計回りの方向に揺動する。さらに、反転ローラ６１２が逆方向に回転し、シートはスイッチバックして搬送され、後端と先端が入れ替わった状態で両面トレイ６１４へと導かれる。
【００５４】
両面トレイ６１４ではシートを一旦積載し、その後、再給紙ローラ６１５によってシートは再びレジストローラ６１６へと送り込まれる。このときシートは、１面目の転写工程とは反対の面が感光ドラムと対向する側になって送られてきている。そして、先述したプロセスと同様にして２面目の画像が形成され、シートの両面に画像が形成され、定着工程を経て機外へ排出される。
【００５５】
給紙搬送部は、シートカセットＡ６１７、シートカセットＢ６１８およびペーパーデッキ６１９、手差しトレイ６２０と、給紙ローラ６２１、レジストローラ６１６によって構成されている。
【００５６】
シートカセットＡ６１７、シートカセットＢ６１８およびペーパーデッキ６１９には、各種サイズおよび各種マテリアルのシートが収納され、また手差しトレイ６２０にはＯＨＴシート等のフィルム材を含む各種の記録媒体が積載される。シートカセットＡ６１７、シートカセットＢ６１８、ペーパーデッキ６１９および手差しトレイ６２０には、それぞれに給紙ローラ６２１が設けられシートが１枚ずつ給送される。具体的には、ピックアップローラによって積載されたシートが順次繰り出され、給紙ローラ６２１に対向して設けられる分離ローラによって重送が防止されてシートは１枚ずつ搬送ガイドへと送り出される。ここで、分離ローラには搬送方向とは逆方向に回転させる駆動力が図示しないトルクリミッタを介して入力されている。給紙ローラとの間に形成されるニップ部にシートが１枚だけ進入しているときには、シートに従動して搬送方向に回転する。一方、重送が発生している場合には搬送方向とは逆方向に回転することにより重送したシートが戻され、最上部の１枚だけが送り出されるようになっている。
【００５７】
送り出されたシートは搬送ガイドの間を案内され、複数の搬送ローラによってレジストローラ６１６まで搬送される。このときレジストローラ６１６は停止しており、シートの先端がレジストローラ６１６対で形成されるニップ部に突き当たり、シートがループを形成し斜行が補正される。その後、画像形成部において感光ドラム６０４上に形成されるトナー像のタイミングに合わせて、レジストローラ６１６は回転を開始してシートを搬送する。
【００５８】
レジストローラ６１６により送られたシートは、吸着ローラ６２２によって転写ドラム６０５表面に静電気的に吸着される。
【００５９】
プリンタ部の定着部から排出されたシートは、オンラインフィニッシャ部に入る（フィニッシャが接続されている場合）。オンラインフィニッシャ部には、サンプルトレイ６２３及びスタックトレイ６２４があり、ジョブの種類や排出されるシートの枚数に応じて切り替えて排出される。
【００６０】
ソート方式には２通りあり、複数のビンを有して各ビンに振り分けるビンソート方式と、電子ソート機能とビン（または、トレイ）を奥手前方向にシフトしてジョブ毎に出力シートを振り分けるシフトソート方式によるソーティングを行うことができる。電子ソート機能は、コレートと呼ばれ、コア部に大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００６１】
さらに、出力すべきジョブに対してステープルモードが設定されている場合には、スタックトレイ６２４に排出するよう制御する。その際には、シートがスタックトレイ６２４に排出される前に、シートをジョブ毎にフィニッシャ内部の処理トレイ６２５に順次蓄えておく。該処理トレイ６２５上にてステープラ６２６にてバインドして、その上で、スタックトレイ６２４へ、該記録紙束を束排出する。
【００６２】
その他、上記２つのトレイに至るまでに、ファイル用の２つ（または３つ）の穴開けを行うパンチャ６２７があり、ジョブの種類に応じてパンチ処理を行う。例えば、出力すべきジョブに対するシート処理に関する設定としてユーザにより操作部を介してパンチ処理設定がなされた場合には、そのジョブの記録紙に対してパンチャ６２７によるパンチ処理を実行させる。その上で、機内を通過させて、スタックトレイ６２４及びサンプルトレイ６２３等の排出トレイに排紙するよう制御する。
【００６３】
さらに、サドルステッチャ６２８は、シートの中央部分を２ヶ所バインドした後に、シートの中央部分をローラに噛ませることによりシートを半折りし、パンフレットのようなブックレットを作成する処理（製本処理）を行う。サドルステッチャ６２８で製本されたシートは、ブックレットトレイ６２９に排出される。当該サドルステッチャ６２８による製本処理等のシート処理動作の実行可否も、上述の如く、出力すべきジョブに対してユーザにより設定されたシート処理設定に基づく。
【００６４】
また、インサータ６３０はインサートトレイ６３１にセットされたシートをプリンタへ通さずにスタックトレイ６２４及びサンプルトレイ６２３等の排出トレイのいずれかに送るためのものである。これによってオンラインフィニッシャ部に送り込まれるシート（プリンタ部で印刷されたシート）とシートの間にインサータ６３０にセットされたシートをインサート（中差し）することができる。インサータ６３０のインサートトレイ６３１にはユーザによりフェイスアップの状態でセットされるものとし、ピックアップローラにより最上部のシートから順に給送する。
【００６５】
従って、インサータ６３０からのシートはそのままスタックトレイ６２４またはサンプルトレイ６２３へ搬送することによりフェイスダウン状態で排出される。サドルステッチャ６２８へ送るときには、一度パンチャ側へ送り込んだ後スイッチバックさせて送り込むことによりフェースの向きを合わせる。尚、当該インサータ６３０によるシート挿入処理等のシート処理動作の実行可否も、上述の如く、出力すべきジョブに対してユーザにより設定されたシート処理設定に基づく。
【００６６】
［異機種間プリント時のプレビュー表示の概念図］
図７に本発明における、異機種間プリント時におけるプレビュー表示の概念図を示す。
【００６７】
図７では色再現範囲が狭いＭＦＰ２０２のＨＤＤ３０９に格納されている印刷データを色再現範囲が広いＭＦＰ２０３のカラープロファイルを使用してプレビュー表示する例を示している。
【００６８】
ユーザＡがＭＦＰ２０２のＨＤＤ３０９内に格納している印刷データを、ＭＦＰ２０３のカラープロファイルを使用してプレビュー表示する場合には、ネットワークサーバ２０４に格納されているＭＦＰ２０３のからプロファイルについて問い合わせを行う。
【００６９】
そしてネットワークサーバ２０４より当該カラープロファイル情報をダウンロードし、ＲＡＭ３０８へ格納する。
【００７０】
ＭＦＰ２０３のカラープロファイルを取得後、ＭＦＰ２０２は予め格納されているモニタプロファイルと組み合わせて、操作部３０４に表示するプレビュー画像を生成する。
【００７１】
このプレビュー画像生成の生成は、ＣＰＵ３０５によってＨＤＤ３０９に保存されている対象画像データに対して、画素毎にソフトウェアにより計算する。
【００７２】
本発明の画像形成装置は、全ての画素について計算完了後に、プレビュー表示しようとすると、非常に時間がかかる為、最初は粗い画素単位でプレビュー画像を生成し、序々に画素単位を先鋭化し、最終的に全画素のプレビュー画像を生成し表示するよう制御する。
【００７３】
この際に、表示しているプレビュー画像の完成度がユーザに対して解るように、進捗率をグラフとして同時に表示する。
【００７４】
［プレビュー画像生成の概念図］
図１９、図８〜図１１に本発明における、プレビュー画像生成の概念図を示す。
【００７５】
図１９はプレビュー表示を行う対象の、ＨＤＤ３０９内に格納されている画像データをＲＡＭ３０８へ展開後のビットマップイメージとして模式的に表した図である。
【００７６】
実際のビットマップサイズはこれより格段に大きいが、ここでは説明の為一部分を抜粋し、１０×１０画素サイズの領域について説明する。
【００７７】
図１９に示される画像データは、プレビュー表示する際に操作部３０４上の解像度に合わせる為、最初に間引き処理される。
【００７８】
図８に解像度変換後の画像の模式図を示す。
【００７９】
１０×１０画素サイズのデータは、８×８画素サイズのデータへ変換される。
【００８０】
解像度変換された画像データは、まず始めにＭＦＰ２０２のカラープロファイルを使用し、全画素に対してカラーマッチング処理を実施する。
【００８１】
ネットワークサーバ２０４よりＭＦＰ２０３のカラープロファイルを受信後、ＣＰＵ３０５は間引かれた画像データに対して、ＭＦＰ２０３のカラープロファイルとモニタプロファイルを使用して、プレビュー画像を生成する。
【００８２】
図９にＭＦＰ２０３のカラープロファイルにより、特定の画素間隔毎にカラーマッチング処理により生成されるプレビュー画像の模式図を示す。
【００８３】
図９に示すように、最初は予め決められている画素間隔おきにカラーマッチング処理を実施する。図９では特定の画素間隔の設定は縦横それそれ４画素の場合の例を示している。
【００８４】
図９に示すように、縦横の座標は、（０，０）、（０，４）、（４，０）、（４，４）、…という順番で、各座標の画素に対してＭＦＰ２０３のカラープロファイルを使用して演算し、プレビュー出力値として当てはめる（背景が黒の画素）。それ以外の座標については処理を行わないので、ＭＦＰ２０２のカラープロファイルで演算した結果が、そのまま出力される（背景が白の画素）。
【００８５】
図１０に更に残りの画素の演算を進めたプレビュー画像の模式図を示す。
【００８６】
図１０に示すように、最初に計算しなかった間の画素に対しての出力値を計算する。
【００８７】
図１０の背景が薄い灰色の画素は、図９で最初に演算が済んでいる画素を示している。
【００８８】
図１０に示す例では、ＣＰＵ３０５は次に、（０，２）、（０，６）、（２，０）、（２，２）、（２，４）、…という順番で、各座標の画素に対してＭＦＰ２０３のカラープロファイルを使用して演算し、プレビュー出力値として当てはめる（背景が黒の画素）。
【００８９】
それ以外の座標については処理を行わないので、ＭＦＰ２０２のカラープロファイルで演算した結果が、そのまま出力される（背景が白の画素）。
【００９０】
図１１は全画素の演算終了後に生成されるプレビュー画像の模式図を示す。
【００９１】
図１１に示すように、計算が終わっていない残り全ての画素に対しての出力値を計算し、全画素のプレビュー出力値として当てはめる（背景が薄い灰色の画素）。
【００９２】
［異機種間プリント時のプレビュー表示シーケンス］
本実施例１における画像形成装置を使用した異機種間プリント時のプレビュー表示シーケンスについて、フローチャートに従って説明する。
【００９３】
図１２は本発明の画像形成装置において、異機種間プリント時のプレビュー表示シーケンスを示すフローチャートである。
【００９４】
Ｓ１２０１において、ＭＦＰ２０２はネットワークサーバ２０４に対して、ＭＦＰ２０３のカラープロファイルを送信するよう要求を行う。
【００９５】
ＭＦＰ２０２内のＨＤＤ３０９に格納されている画像データをＭＦＰ２０３のカラープロファイルを使用してプレビュー表示する場合には、始めにネットワークサーバ２０４に予め格納されているＭＦＰ２０３のカラープロファイルについて問い合わせを行う。
【００９６】
Ｓ１２０２において、ＭＦＰ２０２はＨＤＤ３０９に格納されている画像データを操作部３０４のＬＣＤに表示させる解像度に合わせる為に、解像度変換を行う。解像度変換は図１９に示す対象画像データを、図８に示す画素サイズに変換するような単純間引き処理を行う。
【００９７】
ＨＤＤ３０９に格納されている該当する画像データを、圧縮伸張部３１０を通してＲＡＭ３０８上に展開する。
【００９８】
ＲＡＭ３０８上に展開されたソース画像を間引き処理後、ＲＡＭ３０８のディスティネーション領域に解像度変換後の画像を格納する。
【００９９】
Ｓ１２０３において、ＭＦＰ２０２は最初に、ＭＦＰ２０３のカラープロファイルの代わりに、ＭＦＰ２０２自身のカラープロファイルを使用してカラーマッチング処理を行う。
【０１００】
ＨＤＤ３０９に圧縮保存されているモニタプロファイルとＭＦＰ２０２のカラープロファイルを、圧縮伸張部３１０を通して伸張し、ＲＡＭ３０８上に展開する。
【０１０１】
ＲＡＭ３０８上に展開した各カラープロファイルを使用してＣＰＵ３０５によりカラーマッチング処理を実行する。
【０１０２】
Ｓ１２０４において、カラーマッチング処理が終了したＲＡＭ３０８上のプレビュー用画像を、操作部３０４へ転送し、操作部３０４のＬＣＤ部に表示する。
【０１０３】
図１３に操作部３０４のＬＣＤに表示されるプレビュー画面の一例を示す。
ボックスタブ５０３を選択すると、ボックスタブ５０３は強調表示され、ボックスのユーザジョブ画面が表示される。
【０１０４】
図１４はボックス番号０１を選択した場合に表示されるユーザボックス画面の一例を示す。
【０１０５】
図１４に示すように、ボックスに格納されている文書名や用紙サイズなどの情報が表示される。
【０１０６】
選択した文書をプリントする場合には、プリントキー１４０１を押下する。
【０１０７】
図１５にボックスプリント画面の一例を示す。
【０１０８】
ＭＦＰ２０３でプリントする場合には、プリンタ選択プルダウンキー１５０１より該当するプリンタ名を選択する。
【０１０９】
プリンタ名を選択後、プレビューキー１５０２を押下することによりプレビュー画面が表示される。
【０１１０】
図１６に最初に表示するカラーマッチング処理の画素単位が粗いプレビュー画像の一例を示す。
【０１１１】
ＣＰＵ３０５で処理するプレビュー画像生成の進捗度合いが解かるように進捗バー１６０３がプレビュー画像と一緒に表示される。
【０１１２】
Ｓ１２０５において、ＭＦＰ２０２はネットワークサーバ２０４より送信される、ＭＦＰ２０３のカラープロファイルの受信が完了しているかの判断を行う。
受信が完了していればＳ１２０６へ移行する。受信が完了していない場合にはＳ１２０５を繰り返す。
【０１１３】
ＭＦＰ２０２は外部Ｉ／Ｆ３０２を通して、前記ＭＦＰ２０３のカラープロファイルを受信して、ＲＡＭ３０８上に格納する。
【０１１４】
Ｓ１２０６において、ＭＦＰ２０３のカラープロファイルを使用してカラーマッチング処理を行う。
【０１１５】
Ｓ１２０６では、図９に示すように、最初は特定の画素間隔おきカラーマッチング処理を行う。
【０１１６】
Ｓ１２０７において、カラーマッチング処理した画素のデータを置き換える。
【０１１７】
ＲＡＭ３０８上のプレビュー表示中の画像データについて、処理した座標の画素データを演算後の画素データに置き換える。
【０１１８】
Ｓ１２０８において、現在表示しているプレビュー画像より、表示中の文書で良いか否かの選択が存在したかの判断を行う。
【０１１９】
表示している文書を選択する場合には、了解キー１６０１を押下する。
【０１２０】
表示している文書を選択せずに取り消す場合には、取消キー１６０２を押下する。
【０１２１】
了解キー１６０１もしくは取消キー１６０２の一方が押下された場合には、Ｓ１２１３へ移行する。
【０１２２】
了解キー１６０１もしくは取消キー１６０２のどちらも押下されない場合には、Ｓ１２０９へ移行する。
【０１２３】
Ｓ１２０９において、ＭＦＰ２０２は、ＣＰＵ３０５による残りの画素に対するカラーマッチング処理を行う。
【０１２４】
Ｓ１２０９では、図１０に示すようなＳ１２０６で演算しなかった間の画素に対して演算する。
【０１２５】
Ｓ１２０９において、カラーマッチング処理した画素のデータを置き換える。
【０１２６】
図１７にカラーマッチング処理の画素の演算が進んだプレビュー画像の一例を示す。
【０１２７】
図１７に示すように進捗バー１６０３の進捗度合いが、カラーマッチング処理の進み具合に応じて増加する。
【０１２８】
Ｓ１２１１において、カラーマッチング処理の演算が全画素について終了し、プレビュー画像が完成したか否かの判断を行う。
【０１２９】
プレビュー画像が完成している場合には、Ｓ１２１２へ移行する。
【０１３０】
プレビュー画像がまだ完成していない場合には、Ｓ１２０８へ移行する。
【０１３１】
図１８にカラーマッチング処理の演算が全画素について終了したプレビュー画像の一例を示す。
【０１３２】
図１８に示すように進捗バー１６０３の進捗度合いは１００％まで到達し、プレビュー画像の更新が完了したことを通知する。
【０１３３】
Ｓ１２１２において、Ｓ１２０８と同様に，現在表示しているプレビュー画像より、表示中の文書で良いか否かの選択が存在したかの判断を行う。
【０１３４】
了解キー１６０１もしくは取消キー１６０２の一方が押下された場合には、Ｓ１２１３へ移行する。
【０１３５】
了解キー１６０１もしくは取消キー１６０２のどちらも押下されない場合には、Ｓ１２１２を繰り返し、一方のキーが押下されることをウェイトする。
【０１３６】
Ｓ１２１３において、了解キー１６０１と取消キー１６０２のどちらのキーが押下されたのかを判断する。
【０１３７】
了解キー１６０１が押下された場合には、Ｓ１２１４へ移行する。
【０１３８】
取消キー１６０２が押下された場合には、Ｓ１２１５へ移行する。
【０１３９】
Ｓ１２１４において、ＭＦＰ２０２はＭＦＰ２０３でのプリントを開始する。
【０１４０】
ＨＤＤ３０９に格納されている圧縮されている対象の画像データを外部Ｉ／Ｆ３０２より、ネットワーク２０１を通してＭＦＰ２０３へ転送する。
【０１４１】
ＭＦＰ２０３は、ＭＦＰ２０３内の外部Ｉ／Ｆ３０２を通して印刷対象の画像データを受信して、一旦ＨＤＤ３０９へ格納する。
【０１４２】
ＨＤＤ３０９へ格納された画像データは圧縮伸張部３１０を通して伸張されてＲＡＭ３０８へ展開する。ＲＡＭ３０８上へ展開された画像データは、プリンタ部３０３によりプリント画像処理を行いプリント出力を行う。
【０１４３】
Ｓ１２１５において、ＭＦＰ２０２はＭＦＰ２０３でのプリントをキャンセルする。
【０１４４】
プリントをキャンセル後、他の文書を選択する場合には、再度、図１４のユーザボックス画面より文書を選択して、上記プレビューに関わる動作を繰り返す。
【図面の簡単な説明】
【０１４５】
【図１】プレビュー画像生成時におけるカラープロファイルでの流れの概念図
【図２】ネットワークシステムの構成
【図３】マルチファンクション周辺機器の構成
【図４】操作部２０４におけるキー入力部
【図５】操作部２０４における液晶表示部
【図６】マルチファンクショナルプリンタの構成
【図７】異機種間プリント時におけるプレビュー表示の概念図
【図８】解像度変換後の画像の模式図
【図９】特定画素間隔でカラーマッチング処理を行ったプレビュー画像の模式図
【図１０】間の画素のカラーマッチング処理を行ったプレビュー画像の模式図
【図１１】全画素のカラーマッチング処理を行ったプレビュー画像の模式図
【図１２】実施例における異機種間プリント時のプレビュー表示シーケンスを示すフローチャート
【図１３】操作部３０４のＬＣＤに表示されるプレビュー画面の一例
【図１４】ユーザボックス画面の一例
【図１５】ボックスプリント画面の一例
【図１６】プレビュー画像の初期画面の一例
【図１７】カラーマッチング処理が進んだプレビュー画像の一例
【図１８】カラーマッチング処理が終了したプレビュー画像の一例
【図１９】ＨＤＤ３０９格納データのビットマップイメージ模式図
【符号の説明】
【０１４６】
１０１  ＣＭＹＫ値の入力データ
１０２  ディスティネーションカラープロファイル
１０３  Ｌａｂ色空間データ
１０４  モニタカラープロファイル
１０５  ＲＧＢ値の出力データ
２０１  ネットワーク
２０２  ＭＦＰ
２０３  ＭＦＰ
２０４  ネットワークサーバ
３０１  スキャナ部
３０２  外部Ｉ／Ｆ
３０３  プリンタ部
３０４  操作部／表示部
３０５  ＣＰＵ
３０６  メモリコントローラ部
３０７  ＲＯＭ
３０８  ＲＡＭ
３０９  ＨＤＤ
３１０  圧縮伸張部
４０１  操作部電源スイッチ
４０２  ストップキー
４０３  スタートキー
４０４  リセットキー
４０５  ユーザモードキー
４０６  テンキー
４０７  クリアキー
５０１  コピータブ
５０２  送信タブ
５０３  ボックスタブ
５０４  オプションタブ
５０５  色選択設定キー
５０６  ステータス表示部
５０７  倍率表示部
５０８  倍率設定キー
５０９  後処理設定キー
５１０  枚数表示部
５１１  濃度設定キー
５１２  画像モード設定キー
５１３  割り込みキー
５１４  両面設定キー
５１５  紙サイズ設定キー
５１６  紙サイズ表示部
５１７  システムモニタキー
５１８  応用モードキー
６０１  ＡＤＦ
６０２  スキャナ
６０３  ポリゴンミラー
６０４  感光ドラム
６０５  転写ドラム
６０６  分離爪
６０７  定着前搬送
６０８  定着器
６０９  排紙フラッパ
６１０  排紙ローラ
６１１  反転フラッパ
６１２  反転ローラ
６１３  反転ガイド
６１４  両面トレイ
６１５  再給紙ローラ
６１６  レジストローラ
６１７  シートカセットＡ
６１８  シートカセットＢ
６１９  ペーパーデッキ
６２０  手差しトレイ
６２１  給紙ローラ
６２２  吸着ローラ
６２３  サンプルトレイ
６２４  スタックトレイ
６２５  処理トレイ
６２６  ステープラ
６２７  パンチャ
６２８  サドルステッチャ
６２９  ブックレットトレイ
６３０  インサータ
６３１  インサートトレイ
１４０１  プリントキー
１５０１  プリンタ選択プルダウンキー
１５０２  プレビューキー
１６０１  了解キー
１６０２  取消キー
１６０３  進捗バー
【図１】
2010114749.tif 000003
【図２】
2010114749.tif 000004
【図３】
2010114749.tif 000005
【図４】
2010114749.tif 000006
【図５】
2010114749.tif 000007
【図６】
2010114749.tif 000008
【図７】
2010114749.tif 000009
【図８】
2010114749.tif 000010
【図９】
2010114749.tif 000011
【図１０】
2010114749.tif 000012
【図１１】
2010114749.tif 000013
【図１２】
2010114749.tif 000014
【図１３】
2010114749.tif 000015
【図１４】
2010114749.tif 000016
【図１５】
2010114749.tif 000017
【図１６】
2010114749.tif 000018
【図１７】
2010114749.tif 000019
【図１８】
2010114749.tif 000020
【図１９】
2010114749.tif 000021